(57)【特許請求の範囲】
【請求項１】
天面フラップと底面閉鎖板が折り曲げ線を介して連設されている相対する一対の側板と、天面フラップと底面閉鎖板が折り曲げ線を介して連設されている相対する一対の端板と、継ぎ代とが折り曲げ線を介して連設されているブランクシートから組み立てられる矩形ダンボール箱であって、
前記両側板内及び両端板内には、前記天面フラップ及び前記底面閉鎖板のそれぞれとの境界をなす各折り曲げ線に平行な一対の横方向押罫線により各折り曲げ線と各横方向押罫線の間に帯状緩衝領域が形成されており、前記両側板内には、さらに、前記両端板及び前記継ぎ代のそれぞれとの境界をなす各折り曲げ線のそれぞれに平行な一対の縦方向押罫線により該折り曲げ線と該縦方向押罫線の間に側方帯状領域が形成されているとともに、該一対の縦方向押罫線と前記一対の横方向押罫線よりなる矩形押罫枠で囲まれた中央矩形領域が形成されていることを特徴とする矩形ダンボール箱。
【請求項２】
前記両端板及び両側板における帯状緩衝領域は、矩形段ボール箱の上下方向にかかる大きな荷重により略均一に押し潰される領域であることを特徴とする請求項１に記載の矩形段ボール箱。
【請求項３】
前記一対の側板内のそれぞれに形成されている一対の縦方向の押罫線は、矩形段ボール箱の上下方向に掛かる大きな荷重により前記帯状緩衝領域が均一に押し潰された後、さらに、前記中央矩形領域を形成する該縦方向の押罫線を折り曲げ線として両側板面を外方に台形状に膨らませて全体形状が八角形状である段ボール箱胴部を形成する変形誘導押罫線であることを特徴とする請求項１又は２に記載の矩形段ボール箱。
【請求項４】
前記両側板内に形成されている矩形押罫枠は、段ボール箱の内面側ライナに対する押罫線により形成されていることを特徴とする請求項１〜３のいずれか１項に記載の矩形段ボール箱。
【発明の詳細な説明】
【技術分野】
【０００１】
本発明は、大きな積重ね荷重が加わっても胴膨れ変形し難く、かつ、連続製造装置で高速製造することができる包装箱に関する。
【背景技術】
【０００２】
飲料のペットボトル等の様々な商品を包装し、輸送、保管するために、上端側に外フラップを有し、下端側に底面板を有する一対の長側面板と、上端側に内フラップを有し、下端側に底面板を有する一対の短側面板と、継代とを有するブランクシートから組み立てられる段ボール箱（いわゆる、Ａ式段ボール箱）が使用されている。
【０００３】
このような段ボール箱の場合、飲料水等のペットボトルを収容して封緘した状態で多数段積み重ねて保管していると、長期間の保存や高温多湿の保存環境下で保存の際に、段積み下部の段ボール箱が積載荷重で押し潰されて、側面板が不規則に膨れる胴膨れ状態となり、さらに変形して座屈を引き起こして商品価値が損なわれたり、積み重ねた段ボール箱の崩落が発生したりする場合がある。
【０００４】
このような胴膨れ対策として、包装箱の左右の側壁面となる一対の立面板と、上壁面及び底壁面となる一対の平面板が交互に連設され、各立面板の両側縁に内フラップ片が、また、各平面板の両端縁には外フラップが連設されて端壁面となるラップアラウンド式の包装箱における一対の立面板内に、該立面板の外周縁に沿って平行に形成された略四角形の枠の押罫からなる座屈誘導枠線を設け、さらに、前記立面板の外周縁の各角部から近接する座屈誘導枠線の各コーナー部まで延びる押罫の補助誘導線を設けた段ボール箱が提案されている（特許文献１）。
【０００５】
また、一対の側板の両側には一対の端板を連設し、上端及び下端には平板を連設し、側板と平板の境界となる罫線を側板の中心部に向けて窪むように曲げて形成した厚紙製包装箱において、該上端及び下端の罫線を、両端部が孤状で中間部が直線状となるようにした包装箱も提案されている（特許文献２）。
【０００６】
前記立面板の外周縁に沿って平行に形成された略四角形の枠の押罫からなる座屈誘導枠線を設けた特許文献１のラップアラウンド式の段ボール箱は、ペットボトル飲料や缶飲料などの内容品を包装した状態で複数段積み重ねて保管する際に、長期間の保管や高温多湿環境での保管時に下側の包装箱に積載荷重が掛かって立面板が外側に膨らんでも座屈誘導枠線で囲まれた領域を略平行に外側に移動させて（膨らませて）立面板面を扁平に維持することができる。
また、上記側板と平板の境界となる罫線を側板の中心部に向けて窪むように曲げて形成した特許文献２の厚紙製包装箱は、側板の中間部より強度に優れたコーナー部に大きな荷重を負担させることができるので、重量物を収納して多数段積み上げる場合も下段の箱の変形を防止できるとされている。
【先行技術文献】
【特許文献】
【０００７】
【特許文献１】特開２０１１−２４０９４１号公報
【特許文献２】特許第４７６２６３２号公報
【発明の概要】
【発明が解決しようとする課題】
【０００８】
前記立面板の外周縁に沿って平行に形成された略四角形の枠の押罫からなる座屈誘導枠線を設けた特許文献１のラップアラウンド式の段ボール箱は、荷重により包装箱の立面板に形成される胴膨れ面が綺麗な扁平面となるが、包装箱の側面が局部的に外側に大きく膨らんだ形状がはっきりと認識できるような変形が生起することを嫌う商品収納用としては適さないし、座屈誘導線及びそれによって発生する段ボール箱の変形による構造の変化は、箱本体の荷重に対する強度の向上に寄与せず、逆に弱めるものである。したがって、変形した後も引き続いて上面に掛かる荷重に耐える強度を有する構造となるものではないので、収容商品自体によって箱体のさらなる圧縮変形が阻止されることが期待できる飲料缶等を収容するラップアラウンド式の箱体として使用できるに過ぎない。また、ラップアラウンド式包装箱は、包装設備を備えているユーザーしか使用できないので、一般に最も多く使用されているＡ式段ボール箱に比べてコストが高くなる。
【０００９】
また、上記側板と平板の境界となる罫線を側板の中心部に向けて窪むように曲げて形成した特許文献２の厚紙製包装箱は、重量物を収納して多数段積み上げる場合も下段の箱の変形を防止できるとされている。しかし、この包装箱も、側板と平板の境界となる罫線を側板の中心部に向けて窪むように曲げて形成した包装箱のブランクシートは、側板と天面側の平板との境界及び側板と底面側の平板との境界として形成される対称形の２本の罫線が曲線状であるため、貼合機から出た広幅の段ボール原反に対して、その段と直交する方向（＝原反の流れ方向）に直線状の横罫線を連続的に入れる通常のＡ式段ボールの場合とは異なり、コルゲーターから連続して出てくる原反に横罫線を入れる工程で、側板と天面側との境界及び側面板と底面側の平板の境界となる横罫として対称形の２本の罫線を連続的に形成することはできないし、該曲線状の罫線を打ち抜き工程で溝や縦罫と同時に形成する場合でも、曲線状の罫線が正確に形成されているブランクシートを形成するために原反の幅方向の落とし代（トリム）を大きく取らざるを得ない分だけ生産性が低いものとなる。
【００１０】
本発明は、飲料水等のペットボトルのような重量物を収容して封緘した状態で多数段積み重ねて長期間保管したり、高温多湿の環境下で保管したりした場合でも、下段の段ボール箱が上段の段ボール箱の積載荷重で上下方向に押し潰されて側面板に不規則な胴膨れが発生することがなく、また、下段側の包装箱の座屈変形によって積み重ねた上段側の段ボール箱が崩落したりすることがない段ボール箱であって、さらに、通常のＡ式段ボール箱の高速生産ラインで高い生産性を保って製造することができる構造の段ボール箱を提供することを目的とするものである。
【課題を解決するための手段】
【００１１】
本発明は、通常のＡ式段ボール箱で代表される、天面及び底面を閉鎖する平板を有する一対の側板と一対の端板よりなる矩形包装箱であって、相対する一対の側板内と相対する一対の端板内に、矩形包装箱上に大きな荷重が掛かった際に、それらの天面フラップ及び底面側平板との境界をなす各折り曲げ線に沿った狭い幅の帯状緩衝領域のみが均一に圧縮変形するように誘導する該各折り曲げ線に平行な横罫線が設けられていると共に、一対の側板内には、さらに、前記天面側の各折り曲げ線に沿った狭い幅の帯状緩衝領域が圧縮変形することに伴って、側板面が僅かに外方に台形状に膨らむように誘導する縦罫線が、左右の端板との境界をなす折り曲げ線に平行な一対の縦罫線として設けられていて、矩形包装箱上に大きな荷重が掛かった状態で八面体形状の胴部が形成される矩形包装箱に関する。
【００１２】
（１）天面フラップと底面閉鎖板が折り曲げ線を介して連設されている相対する一対の側板と、天面フラップと底面閉鎖板が折り曲げ線を介して連設されている相対する一対の端板と、継ぎ代とが折り曲げ線を介して連設されているブランクシートから組み立てられる矩形ダンボール箱であって、
前記両側板内及び両端板内には、前記天面フラップ及び前記底面閉鎖板のそれぞれとの境界をなす各折り曲げ線に平行な一対の横方向押罫線により各折り曲げ線と各横方向押罫線の間に帯状緩衝領域が形成されており、前記両側板内には、さらに、前記両端板及び前記継ぎ代のそれぞれとの境界をなす各折り曲げ線のそれぞれに平行な一対の縦方向押罫線により該折り曲げ線と該縦方向押罫線の間に側方帯状領域が形成されているとともに、該一対の縦方向押罫線と前記一対の横方向押罫線よりなる矩形押罫枠で囲まれた中央矩形領域が形成されていることを特徴とする矩形ダンボール箱。
（２）前記両端板及び両側板における帯状緩衝領域は、矩形段ボール箱の上下方向にかかる大きな荷重により略均一に押し潰される領域であることを特徴とする（１）項に記載の矩形段ボール箱。
（３）前記一対の側板内のそれぞれに形成されている一対の縦方向の押罫線は、矩形段ボール箱の上下方向に掛かる大きな荷重により前記帯状緩衝領域が均一に押し潰された後、さらに、前記中央矩形領域を形成する該縦方向の押罫線を折り曲げ線として両側板面を外方に台形状に膨らませて全体形状が八角形状である段ボール箱胴部を形成する変形誘導押罫線であることを特徴とする（１）項又は（２）項に記載の矩形段ボール箱。
（４）前記両側板内に形成されている矩形押罫枠は、段ボール箱の内面側ライナに対する押罫線により形成されていることを特徴とする（１）項〜（３）項のいずれか１項に記載の矩形段ボール箱。
【発明の効果】
【００１３】
本発明の矩形段ボール箱は、商品を収容して封緘した状態で多数段に積み重ねて長期間保管したり、高温多湿の環境下で積み重ねて保管したりした場合でも、下段側の段ボール箱が上段側に積み重ねられた段ボール箱の重量で押し潰されて側板や端板に不規則な胴膨れが発生する、という欠点がなく、また、下段側の段ボール箱の座屈によって積み重ねられている上段側の段ボール箱が崩落する、というおそれのない段ボール箱である。さらに、通常のＡ式段ボール箱を製造する高速生産ラインをそのまま利用して高い生産性を保って製造することができる構造の段ボール箱である。
【図面の簡単な説明】
【００１４】
【図１】本発明の矩形段ボール箱を展開した状態のブランクシート図である。
【図２】本発明の矩形段ボール箱を封緘した状態の斜視図である。
【図３】本発明の矩形段ボール箱を封緘した状態で上方から大荷重を負荷した場合の側板面の状態を示す斜視図である。
【発明を実施するための形態】
【００１５】
以下、添付の図１〜図３を参酌して本発明の矩形段ボール箱を具体的に説明する。
図１のブランクシート図に示すように、本発明の矩形段ボール箱は、端板１、側板２、端板３、側板４、継ぎ代５が折り曲げ線Ｌ１〜Ｌ４を介して連設されている。
そして、端板１には天面内フラップ１ａと底面閉鎖板１ｂが折り曲げ線Ｌ５とＬ６を介して連設され、端板３には天面内フラップ３ａと底面閉鎖板３ｂが折り曲げ線Ｌ９とＬ１０を介して連設されており、側板２には天面外フラップ２ａと底面閉鎖板２ｂが折り曲げ線Ｌ７とＬ８を介して連設され、側板４には天面内フラップ４ａと底面閉鎖板４ｂが折り曲げ線Ｌ１１とＬ１２を介して連設されている。
【００１６】
上記端板１内には、天面内フラップ１ａ側の折り曲げ線Ｌ５に平行な横方向の押罫線Ｌ１３が該折り曲げ線Ｌ５に近接して形成されていて、折り曲げ線Ｌ５と押罫線Ｌ１３の間に狭い幅の帯状緩衝領域１ｘが形成されており、
底面閉鎖板１ｂ側の折り曲げ線Ｌ６に平行な横方向の押罫線Ｌ１４が折り曲げ線Ｌ６に近接して形成されていて、折り曲げ線Ｌ６と押罫線Ｌ１４の間に狭い幅の帯状緩衝領域１ｘが形成されている。
【００１７】
端板３内にも、天面内フラップ３ａ側の折り曲げ線Ｌ９に平行な横方向の押罫線Ｌ１７が該折り曲げ線Ｌ９に近接して形成されていて、折り曲げ線Ｌ９と押罫線Ｌ１７の間に狭い幅の帯状緩衝領域３ｘが形成されており、
底面閉鎖板３ｂ側の折り曲げ線Ｌ１０に平行な横方向の押罫線Ｌ１８が折り曲げ線Ｌ１０に近接して形成されていて、折り曲げ線Ｌ１０と押罫線Ｌ１８の間に狭い幅の帯状緩衝領域３ｘが形成されている。
【００１８】
他方、側板２内には、天面内フラップ２ａ側の折り曲げ線Ｌ７に平行な横方向の押罫線Ｌ１５が該折り曲げ線Ｌ７に近接して形成されていて、折り曲げ線Ｌ７と押罫線Ｌ１５の間に狭い幅の帯状緩衝領域２ｘが形成されており、
底面閉鎖板２ｂ側の折り曲げ線Ｌ８に平行な横方向の押罫線Ｌ１６が該折り曲げ線Ｌ８に近接して形成されていて、折り曲げ線Ｌ８と押罫線Ｌ１６の間に狭い幅の帯状緩衝領域３ｘが形成されている。
【００１９】
側板２内には、さらに、端板１との境界を形成している折り曲げ線Ｌ１側に、該折り曲げ線Ｌ１に平行な縦方向の押罫線Ｌ２１が形成されており、端板３との境界を形成している折り曲げ線Ｌ２側には、該折り曲げ線Ｌ２に平行な縦方向の押罫線Ｌ２２が形成されており、一対の横方向の押罫線Ｌ１５とＬ１６及び一対の縦方向の押罫線Ｌ２１とＬ２２とは一体となって側板２内に矩形押罫枠２Ｗを形成している。
そして、縦方向押罫線Ｌ２１と端板１側の折り曲げ線Ｌ１の間、及び、縦方向押罫線Ｌ２２と端板３側の折り曲げ線Ｌ２との間の双方には、前記帯状緩衝領域１ｘ〜４ｘよりも広幅の側方帯状領域２ｙ，２ｙが形成されている。また、前記押罫枠２Ｗで囲まれた矩形領域２ｚが形成されている。
【００２０】
また、側板４内にも、天面内フラップ４ａ側の折り曲げ線Ｌ１１に平行な横方向の押罫線Ｌ１９が該折り曲げ線Ｌ１１に近接して形成されていて、折り曲げ線Ｌ１１と押罫線Ｌ１９の間に狭い幅の帯状緩衝領域４ｘが形成されており、
底面閉鎖板４ｂ側の折り曲げ線Ｌ１２に平行な横方向の押罫線Ｌ２０が該折り曲げ線Ｌ１２に近接して形成されていて、折り曲げ線Ｌ１２と押罫線Ｌ２０の間に狭い幅の帯状緩衝領域４ｘが形成されている。
【００２１】
側板４内には、さらに、端板３との境界を形成している折り曲げ線Ｌ３側に、該折り曲げ線Ｌ３に平行な縦方向の押罫線Ｌ２３が形成されており、継ぎ代５との境界を形成している折り曲げ線Ｌ４側には、該折り曲げ線Ｌ４に平行な縦方向の押罫線Ｌ２４が形成されており、一対の横方向の押罫線Ｌ１９とＬ２０及び一対の縦方向の押罫線Ｌ２３とＬ２４とは一体となって側板４内に矩形押罫枠４Ｗを形成している。
【００２２】
そして、上記矩形押罫枠４Ｗを形成している一対の縦方向押罫線Ｌ２３及びＬ２４のうちの一方の縦方向押罫線Ｌ２３と端板３側の折り曲げ線Ｌ３の間、及び、他方の縦方向押罫線Ｌ２４と継ぎ代５側の折り曲げ線Ｌ４との間の双方には、前記帯状緩衝領域１ｘ〜４ｘよりも広幅の側方帯状領域４ｙ，４ｙが形成されている。また、押罫枠４Ｗで囲まれた矩形領域４ｚが形成されている。
【００２３】
上記両端板１，３及び両側板２，４に形成されている各押罫線Ｌ１３〜Ｌ２４のうち、少なくとも、両側板内に形成されている縦方向の押罫線Ｌ２１〜Ｌ２４は、段ボール箱の外面側のライナ面が通常状態で平滑面となるように、段ボール箱の内面側のライナ面から中芯に至る押罫として形成されていることが望ましい。
【００２４】
上記のように、一対の端板内及び一対の側板内に横方向及び縦方向の押罫線が設けられている図１のブランクシートは、両端板１，３、両側板２，４及び継ぎ代５を各折り曲げ線Ｌ１〜Ｌ４から順に折り曲げて継ぎ代５を相対する端板１の側縁部と接合して筒状胴部を形成し、底面閉鎖板１ｂ〜４ｂを折り重ねて接合して底面を閉鎖して形成した天面開放の矩形箱内に、商品を収容し、天面フラップ１ａ〜４ａにより天面を封鎖することによって図２に示される商品収容状態の段ボール箱Ａとされる。
【００２５】
図２の商品収容状態の本発明の段ボール箱Ａは、商品収容段ボール箱を多数段に積み重ねて保管する場合の下段側の段ボール箱のように、その上面側から大きな荷重が掛かると、図３に示されるように、図２の段ボール箱における両端板１，３の天面側の帯状緩衝領域１ｘ（図１参照）と３ｘ、底面側の帯状緩衝領域１ｘ（図１参照）と３ｘ、及び、両側板の天面側の帯状緩衝領域２ｘと４ｘ（図１参照）、底面側の帯状緩衝領域２ｘと４ｘ（図１参照）が押し潰されて、図３に示されるように、端板３の天面側端縁は折り曲げ線Ｌ９と横方向の押罫線Ｌ１７が重なった状態となり、また、側板２の天面側端縁は折り曲げ線Ｌ７と横方向の押罫線Ｌ１５が重なった状態となり、側板２の底面側端縁は折り曲げ線Ｌ８と横方向の押罫線Ｌ１６が重なった状態となる。
【００２６】
また、図２及び図３においては隠れているが、端板１の天面側端縁は折り曲げ線Ｌ５と横方向の押罫線Ｌ１３が重なった状態となり、端板１の底面側端縁は折り曲げ線Ｌ６と横方向の押罫線Ｌ１４が重なった状態となり、
同様に、側板４の天面側端縁は折り曲げ線Ｌ１１と横方向の押罫線Ｌ１９が重なった状態となり、側板４の底面側端縁は折り曲げ線Ｌ１２と横方向の押罫線Ｌ２０が重なった状態となる。
【００２７】
上記のように、図２の状態の段ボール箱の両端板及び両側板の各天面側及び底面側の帯状緩衝領域が全て均一に押し潰されるのと略同時に、両側板２，４内に形成されている縦方向の押罫線Ｌ２１，Ｌ２２，Ｌ２３、Ｌ２４において両側板２，４の面が外方向に膨れるように折れ曲がり、図３に示されるように両側板面に、中央矩形領域２ｚと一対の側方帯状領域２ｙ，２ｙによる台形状の膨らみと、中央矩形領域４ｚと一対の側方帯状領域４ｙ，４ｙによる台形状の膨らみが形成される。この際、両側板２，４内の縦方向の各押罫線は、両側板２，４の板面が外方向に綺麗に折れ曲がるように誘導する役割を果たす。
このように、両側板表面が台形状に膨らむと、段ボールの胴部の形状は図３の天面の形状に見られるように八角形となり、天面に掛かる荷重に対する段ボール箱全体の耐圧縮性は、図２に示される全体形状が矩形の段ボール箱に比べて向上し、段ボール箱の胴部に座屈が生じ難い強度を有する構造となる。
【００２８】
以上のように、本発明の段ボール箱の両端板及び両側板に形成されている前記横方向の押罫線は、段ボール箱の天面に大きな荷重が掛かった際に均一に押し潰される帯状緩衝領域を形成するために設けられている。
そして、この帯状緩衝領域の幅は、通常の積み重ね保管状態で掛かる最大荷重によって上記のように均一に押し潰される状態となる範囲で任意に設定することができるが、帯状緩衝領域（１ｘ〜４ｘ）の幅は、３〜１０ｍｍの範囲が好ましく、５〜８ｍｍが最も好ましい。３ｍｍ未満の場合、折り曲げ線と押罫線が近すぎて荷重がかかった際にすぐに一体化してしまい、十分な緩衝作用を果たさない。また、１０ｍｍを越えると、幅が広すぎて、荷重がかかっても折り曲げ線と押罫線が重なるように潰れることはなく、緩衝作用を果たさない。
【００２９】
因みに通常のＡ式段ボール箱（側板幅３３０ｍｍ、端板幅１８０ｍｍ、高さ３２０ｍｍ）に、前記縦方向及び横方向の押罫線（１ｘ〜４ｘ＝５ｍｍ幅、２ｙ、４ｙ＝４０ｍｍ幅）を設けた本発明のＡ式段ボール箱と、該押罫線を設けない通常のＡ式段ボールに対する荷重負荷試験（１２０ｋｇ、積載時間７２Ｈの試験）を行った結果、通常のＡ式段ボールは４辺平均の高さ変異が５．３ｍｍで、側板面の平均胴膨れ量が１２．５ｍｍ、端板面の平均胴膨れ量が５．５ｍｍであり、全体的に歪んだ胴膨れ状態となったのに対して、本発明品であるＡ式段ボールの場合は、４辺平均の高さ変異が９．５ｍｍであったが、側板面の平均胴膨れ量が６．０ｍｍ、端板面の平均胴膨れ量が４．０ｍｍと小さく、胴部は側板面の中央部が外方に台形状に僅かに膨れた全体形状が均一な八角形状の胴部を有するものであった。
【００３０】
また、段ボール箱内部の状態を観察すると、通常のＡ式段ボールの場合は、内部のライナ面に大きさの異なる不規則な凹凸部からなるひずみが多数発生しているのに対して、本発明で採用している前記横方向の押罫線と縦方向の押罫線を組み合わせて形成している段ボール箱は箱内のライナ面も綺麗な平滑面であることが確認された。
【００３１】
以上に説明した横方向の押罫線と縦方向の押罫線を組み合わせて形成している本発明の段ボール箱は、端板及び側板に形成している押罫線の全てが、端板及び側板とそれらに連設されている天面フラップや底面閉鎖板との境界を形成している折り曲げ線とされる直線状の罫線と平行な直線状の押罫線であるので、通常のＡ式段ボールの製造ラインをそのまま利用して製造することができるし、縦罫及び溝切を行う工程で横方向の押罫線と縦方向の押罫線を入れる場合も、前記帯状緩衝領域を形成するための横方向の押罫線が段ボールシートに形成されている天面フラップ側及び底面閉鎖板側の折り曲げ線と平行な直線のみであるので、横方向の押罫線を方向の異なる複雑な線状とする場合のように段ボール原反の幅方向の落とし代を多くとる必要がなく、押罫線の本数を多くしているにもかかわらず、通常のＡ式段ボールを製造する場合と同程度の落とし代を予定するだけで足りた。
【００３２】
本発明の段ボール箱は、通常の段ボール箱と同様に、両端板面内に手掛け孔Ｈを有するものとすることができる。
また、同様に、全端板、全側板及び継ぎ代の全長にわたって、カットテープＴを設けると共に、該カットテープの所定箇所にライナカット部Ｃを設けて、段ボールの胴部を上下に切り離して開封できる構造のものとすることも可能である。
【産業上の利用可能性】
【００３３】
本発明の段ボール箱は、重量のある商品を収容して封緘した状態で多数段に積み重ねて長期間保管したり、高温多湿の環境下で積み重ねて保管したりすることが求められる商品包装用の段ボール箱として極めて有用であり、特に、商品包装箱として、胴周りに不均一な変形が僅かでも発生することを嫌う商品の包装用として有用である。
【符号の説明】
【００３４】
１，３：端板
２，４：側板
５：継ぎ代
１ａ，３ａ：天面内フラップ
２ａ，４ａ：天面外フラップ
１ｂ，３ｂ：底面閉鎖板
２ｂ，４ｂ：底面閉鎖板
Ｌ１〜Ｌ１２：折り曲げ線
Ｌ１３〜Ｌ２０：横方向の押罫線
Ｌ２１〜Ｌ２４：縦方向の押罫線
１ｘ〜４ｘ：帯状緩衝領域
２ｙ，４ｙ：側方帯状領域
２ｚ，４ｚ：中央矩形領域
Ａ：段ボール箱
【図１】
0005835002.tif 000002
【図２】
0005835002.tif 000003
【図３】
0005835002.tif 000004